(57)【要約】【課題】フィルター装置についた塵埃を小能力で効率よく確実に除去でき、さらに使用者に不快感を与えない空気調和機の制御装置を提供することを目的としたものである。【解決手段】空気調和機の空調運転終了を検出する空調運転終了検出手段と、フィルター清掃装置にフィルター清掃開始信号を出力するフィルター清掃開始信号出力手段を備えることによって、空調運転終了を検出した場合にフィルター清掃装置を作動させるものである。したがって、フィルター装置についた塵埃を小能力で効率よく確実に除去でき、さらに使用者に不快感を与えない空気調和機の制御装置を提供することができる。【選択図】図３
2008256358.tif 000002
【特許請求の範囲】
【請求項１】
空気調和機本体に、エアフィルターを設け、前記エアフィルターを清掃するフィルター清掃装置を具備した空気調和機において、前記空気調和機の空調運転終了を検出する空調運転終了検出手段と前記フィルター清掃装置にフィルター清掃開始信号を出力するフィルター清掃開始信号出力手段を具備し、空調運転終了を検出した場合に前記フィルター清掃装置を作動させることで塵埃が取れやすい状態での清掃となり、小能力で効率よく塵埃を除去するとともに、前記空気調和機の空調運転中は作動しないようにすることで使用者に不快感を与えないようにしたことを特徴とする空気調和機の制御装置。
【発明の詳細な説明】
【技術分野】
【０００１】
本発明は、フィルターの清掃を自動的に行うようにした空気調和機の制御装置に関するものである。
【背景技術】
【０００２】
従来、空気調和機の制御装置は、塵埃の蓄積レベルを測定し、一定以上レベルを検出した場合にフィルター清掃装置を作動したり、空調運転開始時や空調運転時間を積算し、ある値に達した場合ににフィルター清掃装置を作動していた。また特開昭６３−１３０１１６号においては図４に示すようにファンモータのオン、オフを検出し、オフしたときにフィルター清掃装置を作動していた。
【特許文献１】特開昭６３−１３０１１６号公報（第６−６頁、第４図）
【特許文献２】特開昭６０−１７１３３５号公報（第４−４頁、第７図）
【発明の開示】
【発明が解決しようとする課題】
【０００３】
しかしながら、上記従来の構成では、塵埃に水分や油分がが含まれた場合、停止中や、蓄積されていく間に塵埃が凝固することがあり、フィルター装置に塵埃がこびりつき除去しきれなかったり、強力な清掃能力が必要となるという課題を有していた。
【０００４】
また、空気調和機が空調運転中にサーモオフ時や、除霜運転時にファンモータが停止した場合にもフィルター清掃装置が作動し、動作騒音が発生するため、使用者に不快感を与えるという課題を有していた。
【０００５】
塵埃の蓄積レベルを測定し、一定以上レベルを検出した場合にフィルター清掃装置を作動したり、空調運転時間を積算し、ある値に達した場合にフィルター清掃装置を作動する場合にも、空調運転中に作動することとなり、寝入り際などに作動した場合には睡眠を妨げるという題を有する。
【０００６】
本発明はこのような従来の課題を解決するものであり、フィルター装置についた塵埃を小能力で効率よく確実に除去でき、さらに使用者に不快感を与えない空気調和機の制御装置を提供することを目的とする。
【課題を解決するための手段】
【０００７】
上記課題を解決するために本発明は、空気調和機の空調運転終了を検出する空調運転終了検出手段と、フィルター清掃装置にフィルター清掃開始信号を出力するフィルター清掃開始信号出力手段を具備するである。
【０００８】
上記空調運転終了検出手段とフィルター清掃開始信号出力手段を具備し、空調運転終了を検出した場合にフィルター清掃装置を作動させることによって、塵埃が取れやすい状態での清掃となり、小能力で効率よく確実に除去でき、空調運転中は作動しないため使用者に不快感を与えないという効果が得られる。
【発明の効果】
【０００９】
本発明は、空気調和機の空調運転終了を検出する空調運転終了検出手段を具備し、空調運転終了を検出した場合にフィルター清掃装置を作動させるものである、この構成によれば、塵埃が取れやすい状態での清掃となり、小能力で効率よく確実に除去できるという効果が得られる。さらに空調運転中は作動しないため使用者に不快感を与えないという効果
が奏する。
【発明を実施するための最良の形態】
【００１０】
第１の発明は、空気調和機本体に、エアフィルターを設け、前記エアフィルターを清掃するフィルター清掃装置を具備した空気調和機において、前記空気調和機の空調運転終了を検出する空調運転終了検出手段と前記フィルター清掃装置にフィルター清掃開始信号を出力するフィルター清掃開始信号出力手段を具備し、空調運転終了を検出した場合に前記フィルター清掃装置を作動させることで塵埃が取れやすい状態での清掃となり、小能力で効率よく塵埃を除去するとともに、前記空気調和機の空調運転中は作動しないようにすることで使用者に不快感を与えないようにした構成とすることにより、フィルター装置についた塵埃除去が効率よく行なえ、かつ、使用者に不快感を与えない空気調和機の制御装置を提供が可能となる。
【００１１】
以下本発明の実施の形態について図面を参照して説明する。
【００１２】
（実施の形態１）
図１において、エアフィルター１はエアフィルター１を通過する空気から塵埃を除去し、フィルター清掃装置２はエアフィルター１に蓄積した塵埃を除去する。
【００１３】
図２は本実施の形態の空気調和機の制御装置のブロック図で、空調運転終了検出手段３は空調運転の終了を検出し、タイマーオフ判定手段６に出力する。
【００１４】
タイマー設定検出手段５は、空調運転を設定時刻、または、設定時間経過後に自動終了するタイマーオフ機能４の設定を検出し、タイマーオフ判定手段６に出力する。タイマーオフ判定手段６は空調運転終了検出手段３が検出した空調運転終了がタイマーオフ機能４によるものか否かをタイマー設定検出手段５の出力値と計時手段６の信号から判定し、タイマーオフ機能４による空調運転終了の場合には、空調運転開始信号検出手段１２に出力し、タイマーオフ機能４以外による空調運転終了の場合にはフィルター清掃禁止時刻判定手段１１に出力する。空調運転開始信号検出手段１２はタイマーオフ判定手段６からの出力があった場合、空調運転の開始信号を検出し、フィルター清掃禁止時刻判定手段１１に出力する。
【００１５】
フィルター清掃禁止時刻設定手段８はフィルター清掃装置２の作動を禁止する時間帯を設定し、フィルター清掃禁止時刻ウィークリープログラミング手段９はフィルター清掃禁止時刻の設定を各曜日ごとに記憶し、フィルター清掃禁止時刻判定手段１１に出力する。曜日検出手段は曜日を検出し、フィルター清掃禁止時刻判定手段１１に出力する。フィルター清掃禁止時刻判定手段１１は、フィルター清掃禁止時刻ウィークリープログラミング手段９と曜日検出手段の出力値と、計時手段６の信号から、空調運転終了検出手段３が検出した空調運転終了、または空調運転開始信号検出手段１２が検出した空調運転の開始信号が、フィルター清掃装置２の作動を禁止する時刻か否かを判定する。
【００１６】
空調運転終了検出手段３が検出した空調運転終了が、フィルター清掃装置２の作動を禁止する時刻の場合は、空調運転開始信号検出手段１２に出力し、空調運転開始信号検出手段１２が検出した空調運転の開始信号が、フィルター清掃装置２の作動を禁止する時刻の場合は出力せず、フィルター清掃装置２の作動を禁止する時刻以外の場合は、フィルター清掃開始信号出力手段１３に出力する。フィルター清掃開始信号出力手段１３は、フィルター清掃禁止時刻判定手段１１の出力により、フィルター清掃装置２にフィルター清掃開始の信号を出力する。
【００１７】
図３は本実施の形態の空気調和機の制御装置のフローチャートであり、以下にその動作
を説明する。
【００１８】
タイマー設定検出手段５で、空調運転を設定時刻、または、設定時間経過後に自動終了するタイマーオフ機能４の設定を検出するタイマー設定検出を行う。  空調運転終了検出手段３で、空調運転の終了を検出しなければ、タイマー設定検出にもどり、空調運転の終了を検出すると、タイマーオフ判定手段６で空調運転終了検出手段３が検出した空調運転終了がタイマーオフ機能４によるものか否かのタイマーオフ判定を、タイマー設定検出手段５の出力値と計時手段６の信号から判定する。タイマーオフ判定がタイマーオフ機能４以外による空調運転終了の場合には、時刻検出、曜日検出、フィルター清掃禁止時刻読込を行い、フィルター清掃禁止時刻判定手段１１で、空調運転終了検出手段３が検出した空調運転終了が、フィルター清掃装置２の作動を禁止する時刻か否かのフィルター清掃禁止時刻判定をする。
【００１９】
フィルター清掃禁止時刻判定で、空調運転終了検出手段３が検出した空調運転終了が、フィルター清掃装置２の作動を禁止する時刻であれば、空調運転開始信号検出手段１２によって、空調運転の開始信号を検出した後、時刻検出、曜日検出、フィルター清掃禁止時刻読込を行い、フィルター清掃禁止時刻判定手段１１で、空調運転開始信号がフィルター清掃装置２の作動を禁止する時刻か否かのフィルター清掃禁止時刻判定をする。フィルター清掃禁止時刻判定で、空調運転開始信号がフィルター清掃装置２の作動を禁止する時刻であればタイマー設定検出にもどる。フィルター清掃禁止時刻判定で、フィルター清掃装置２の作動を禁止する時刻以外であれば、フィルター清掃開始信号出力手段１３で、フィルター清掃装置２にフィルター清掃開始の信号を出力する。タイマーオフ判定がタイマーオフ機能４による空調運転終了の場合には、空調運転開始信号検出に移行しする。
【００２０】
上記実施の形態において、空調運転終了検出手段３と、フィルター清掃開始信号出力手段１３を備え、空調運転終了を検出した場合にフィルター清掃装置２を作動させることにより、塵埃が取れやすい状態での清掃となり、小能力で効率よく確実に除去することができ、空調運転中は作動しないため使用者に不快感も与えない。
【００２１】
また、タイマー設定検出手段５とタイマーオフ判定手段６、フィルター清掃禁止時刻設定手段８とフィルター清掃禁止時刻判定手段１１を備え、タイマーオフ機能４による空調運転終了時やフィルター清掃禁止時刻設定手段８で設定された範囲の時刻には、フィルター清掃装置２を作動させないことによって特に就寝時に不快感を与えないという効果が得られる。
【図面の簡単な説明】
【００２２】
【図１】本発明の実施形態を示すフィルター清掃装置の斜視図
【図２】同一実施形態の制御装置ブロック図
【図３】同一実施形態の制御内容を示すフローチャート
【図４】従来の制御内容を示すフローチャート
【符号の説明】
【００２３】
１  エアフィルター
２  フィルター清掃装置
３  空調運転終了検出手段
４  タイマーオフ機能
５  タイマー設定検出手段
６  計時手段
７  タイマーオフ判定手段
８  フィルター清掃禁止時刻設定手段
９  フィルター清掃禁止時刻ウィークリ−プログラミング手段
１０  曜日検出手段
１１  フィルター清掃禁止時刻判定手段
１２  空調運転開始信号検出手段検手段
１３  フィルター清掃開始信号出力手段
【図１】
2008256358.tif 000003
【図２】
2008256358.tif 000004
【図３】
2008256358.tif 000005
【図４】
2008256358.tif 000006